(57)【要約】【課題】周囲の環境や条件に対応して後付けでも簡単に網戸８や網付きのルーバーや網戸付きのガラリを取り付けたり交換したりすることができる網戸。【解決手段】窓枠１に着脱自在に設けられた網戸框１０の内側に取付溝１３を形成し、この取付溝１３に、網体１１と、網体１１と複数のルーバー羽根２１とを備えたルーバー網戸ユニット１７と、網体１１と複数のガラリ板３１を備えたガラリ網戸ユニット１８のいずれかを選択的に取り付ける。【選択図】図３
2009161929.tif 000002
【特許請求の範囲】
【請求項１】
窓枠に着脱自在に設けられた網戸框の内側に取付溝を形成し、この取付溝に、網体と、網体と複数のルーバー羽根とを備えたルーバーユニットと、網体と複数のガラリ板を備えたガラリユニットのいずれかを選択的に取り付け可能としたことを特徴とする網戸。
【請求項２】
上記ルーバー網戸ユニット及びガラリ網戸ユニットの上下または左右に対向する位置には、それぞれ上記網戸框の取付溝と係合可能な係合部が形成されていることを特徴とする、請求項１に記載の網戸。
【請求項３】
上記ルーバー網戸ユニット及びガラリ網戸ユニットには、上記網戸框の屋外側面と接面するとともに上記網戸框にネジ止めされる取付片が形成されていることを特徴とする、請求項１又は２に記載の網戸。
【請求項４】
上記ルーバー網戸ユニット及びガラリ網戸ユニットには、それぞれ上記網戸框の内側に嵌合される内框と、該内框の屋内側に取り付けられた複数のルーバー羽根及びガラリ板と、上記内框の屋外側に取り付けられた網体とが設けられていることを特徴とする、請求項１〜３のいずれかに記載の網戸。
【発明の詳細な説明】
【技術分野】
【０００１】
本発明は、窓枠に取り付けられる網戸用框に、網体と、網体を含むガラリ網戸ユニットと、網体を含むルーバー網戸ユニットとを選択的に取り付けられるようにした網戸に関する。
【背景技術】
【０００２】
一般に、辷り出し窓や平行窓に代表される開き窓のように、障子が屋外側に突出して開閉作動する構造のサッシでは、障子の開閉の邪魔にならないように、網戸は障子の屋内側に配置されている（特許文献１参照）。
【０００３】
ところが、網戸のみを設けた開き窓は採光を大きく確保することはできるが、開き窓を開くと、網戸越しに室内が見えてしまうほか、網戸は換気量を調整することができない。そこで、この防虫効果とともに換気量を調整できるように、窓枠の屋内側に網戸を取り付け、屋外側にはルーバーを独立に設けたものが知られている（特許文献２参照）。
【特許文献１】特開２０００−３２０２５０公報
【特許文献２】特開平１１−２９４０２９号公報
【発明の開示】
【発明が解決しようとする課題】
【０００４】
しかしながら、既設の開き窓に、開閉作動する障子と網戸が配設されている場合、この開き窓に換気量を調整するためにルーバー又はガラリを後付けで取り付ける必要が生じたときは、網戸を取り外してから窓枠にルーバー又はガラリを取り付け、再び網戸を取り付けるという煩雑な作業が必要となる。
【０００５】
本発明は上記問題点を解消し、周囲の環境や条件に対応して後付けでも簡単に網戸やルーバーやガラリを取り付けたり交換したりすることができる網戸を提供することをその課題とする。
【課題を解決するための手段】
【０００６】
前記課題を解決するため、請求項１に係る発明は、窓枠に着脱自在に設けられた網戸框の内側に取付溝を形成し、この取付溝に、網体と、網体と複数のルーバー羽根とを備えたルーバー網戸ユニットと、網体と複数のガラリ板を備えたガラリ網戸ユニットのいずれかを選択的に取り付けることを特徴とする。
【０００７】
請求項２に係る発明は、請求項１において、上記ルーバー網戸ユニット及びガラリ網戸ユニットの上下または左右に対向する位置には、それぞれ上記網戸框の取付溝と係合可能な係合部が形成されていることを特徴とする。
【０００８】
請求項３に係る発明は、請求項１又は２において、上記ルーバー網戸ユニット及びガラリ網戸ユニットには、上記網戸框の屋外側面と接面するとともに上記網戸框にネジ止めされる取付片を形成したことを特徴とする。
【０００９】
請求項４に係る発明は、請求項１〜３のいずれかにおいて、上記ルーバー網戸ユニット及びガラリ網戸ユニットには、それぞれ上記網戸框の内側に嵌合される内框と、該内框の屋内側に取り付けられた複数のルーバー羽根及びガラリ板と、上記内框の屋外側に取り付けられた網体とが設けられていることを特徴とする。
【発明の効果】
【００１０】
請求項１に係る発明によれば、窓枠に着脱自在に設けられた網戸框の取付溝に、網体と網体と複数のガラリとを備えたガラリ網戸ユニットと網体と複数のルーバー羽根を備えたルーバー網戸ユニットのいずれかを選択的に取り付ける構成であるから、窓枠に網体のみを装着するときは、網体を取り付けた網戸框を窓枠に取り付ければよい。ルーバー網戸ユニットを装着するときは、上記網戸框に網体の代りにルーバー網戸ユニットの内框を取り付け、この網戸框を窓枠に取り付ければよい。ガラリ網戸ユニットを装着するときは、上記網戸框に網体の代りにガラリ網戸ユニットの内框を取り付け、この網戸框を窓枠に取り付ければよい。同様に、網戸、ルーバー網戸ユニット又はガラリ網戸ユニットが取り付けられている網戸框を取り外して互いに交換することもできる。
【００１１】
したがって、ガラリを設けた場合は、視線を遮り、目隠し効果が得られると共にガラリで風向き調整を行って室内へ風を取り込むことができる。ルーバーを設けた場合は、目隠し効果とともに風量・風向きを調整することができる。
【００１２】
また、ルーバー網戸ユニット又はガラリ網戸ユニットは、網戸框の網体取付溝を利用して取り付けることができるから、別途取付部や取付部材を設ける必要がない。しかも、網戸框の網体取付溝を利用する構成であるから、既存の網戸を利用することができる。したがって、網戸のみが必要なときは網戸を、網戸とガラリまたは網戸とルーバーが必要なときは、ガラリ網戸ユニットまたはルーバー網戸ユニットを後付けすることができ、コストも低く抑えることができる。
【００１３】
請求項２に係る発明によれば、上記ルーバー網戸ユニット及びガラリ網戸ユニットの上下または左右に対向する位置には、それぞれ上記網戸框の取付溝と係合可能な係合部が形成されているから、ルーバー網戸ユニット及びガラリ網戸ユニットは、その係合部を網戸框の取付溝に係合させることによって簡単に取り付けることができる。
【００１４】
請求項３に係る発明によれば、ルーバー網戸ユニット及びガラリ網戸ユニットには、上記網戸框の屋外側面と接面するとともに上記網戸框にネジ止めされる取付片を形成したので、ルーバー網戸ユニット及びガラリ網戸ユニットの取付部分が室内側に露出することがなく、内観体裁がよい。
【００１５】
請求項４に係る発明によれば、ルーバー網戸ユニット及びガラリ網戸ユニットには、それぞれ網戸框の内側に嵌合される内框と、該内框の屋内側に取り付けられた複数のルーバー及びガラリ板と、上記内框の屋外側に取り付けられた網体とが設けられているので、ルーバー網戸ユニット及びガラリ網戸ユニットの取り付け、取り外しの際に、網体とルーバー羽根又はガラリ羽とを個別に取り付けたり、取り外したりする必要がなく、作業を容易に行なうことができる。
【発明を実施するための最良の形態】
【００１６】
本発明の実施形態を図１及び図２のサッシについて説明する。上記サッシは壁躯体の開口部に嵌め込まれる窓枠１と、この窓枠１の屋外側に水平方向に突出して開閉可能に配置された障子２とから構成された縦辷り出し窓である。
【００１７】
窓枠１は上下枠１ａ、１ｂと左右の縦枠１ｃとを方形に枠組みしたもので、障子２は屋外側に配置されている。
【００１８】
障子２は金属製の框材、つまり上框２ａと下框２ｂと左右の縦框２ｃとを框組みすることによって構成されている。框の内側には複層ガラス４が嵌め込まれている。
【００１９】
なお、窓枠１と障子２は、金属と合成樹脂とを結合してなる断熱窓枠と断熱障子であってもよい。
【００２０】
上記障子２と窓枠１とはリンク機構を介して連結され、屋内側に設けられたオペレータハンドル３を回転操作することにより障子２の一側を屋外側に移動して開き又は閉じ作動するようになっている。リンク機構は公知のものでよいからここでは省略する。
【００２１】
次に、上記窓枠１の開口部の室内側には、上枠１ａと縦枠１ｃに網戸用取付片５が形成され、この取付片５に固定部材７を介して防虫用の網戸８が着脱可能に取り付けられている。
【００２２】
すなわち、詳しくは図３（ａ）に示されるように、網戸８は四方組みした網戸框１０の内側に網体１１を張設したもので、網戸框１０の上下框１０ａ、１０ｂは、断面が方形の中空部１９の屋外側に突部１２を形成し、屋内側の内方端から略Ｌ字形の突縁６を形成し、中空部１９と突縁１６との間に屋外側に開口する取付溝１３を形成したものである。また、図２に示されるように、縦框２ｃは中空部１９の屋外側の外方端に気密材１４を装着する嵌合溝１５が形成され、屋内側の内方端から略Ｌ字形の突縁１６を形成し、上記中空部１９と突縁１６との間に屋外側に開口する取付溝１３を形成したものである。上下框２ｂと左右の縦框２ｃは四隅で４５度に突き当てられて框組みされている。これにより上記取付溝１３は方形に連続する。網体１１は上記網戸框１０の取付溝１３に押し込まれて嵌合固定されている。そして、網戸框１０は上記窓枠１の上下枠１ａ、１ｂと縦枠１ｃの屋内側から内方に突出する取付片５（図１及び図２参照）に網戸かまち１０の４隅に装着した固定部材７によって取り付けられている。固定部材７は屋内側のスライド摘み７ａと押さえ片７ｂとを一体に形成したもので、縦框１ｃに沿って摺動可能に設けられ、網戸取付前は固定部材７を縦框１ｃの端部より中心側に配置しておき、取付時に網戸８を屋内側から取付片５に押し当てた後に固定部材７を端部側にスライドさせて押さえ片７ｂを取付片５の屋外側の面に係合させることによって網戸８を固定する。したがって、網戸框１０は窓枠１に着脱自在となっている。
【００２３】
網体１１は上記網戸框１０の嵌合溝１５に押し込むことによって嵌合固定されている。
【００２４】
ところで、上記網戸框１０の取付溝１３には、上述のように網体１１のほかに、複数のルーバー羽根を備えたルーバー網戸ユニット１７と、網体１１と複数のガラリ（ルーバー状の羽根板）とを備えたガラリ網戸ユニット１８のいずれかが選択的に取り付けられるように構成されている。
【００２５】
すなわち、図３（ｂ）、図４及び図５に示されるように、ルーバー網戸ユニット１７は、網戸框１０の内側に嵌合可能に形成された内框２０の屋外側に網体１１を取り付け、屋内側にルーバー羽根２１を取り付けるとともに、ルーバー羽根２１を回動操作できるようにしたもので、内框２０は内上框２０ａと内下框２０ｂと左右の内縦框２０ｃとから構成され、屋外側の端部から外方に取付片２２が張り出し形成され、内上框２０ａと内下框２０ｂの取付片２２の基部から屋内側に係合部２３が形成されている。
【００２６】
内框２０の屋外側には網体嵌合溝２４が形成され、その屋内側には複数のルーバー羽根２１が回動自在に配置されている。網体嵌合溝２４は網戸框１０の取付溝１３と同じ大きさ、同じ形状であるとともに、同じ屋外側に開口している。したがって、同様にして、上記網体嵌合溝２４に網体１１が押し込まれて固定されている。
【００２７】
また、ルーバー羽根２１は羽根部２５の中間から脚部２６を屋外側に突出させ、脚部２６の中間部の両端は、内縦框２ｃの屋内側の開口端の裏側に設けられた金具から突出された軸２７ａに回動自在に軸止されている。さらに、各ルーバー羽根２１の端部は内縦框２０ｃに沿って上下動可能に配置された作動リンク２８に沿って形成された軸２７ｂに回動自在に軸止されている。一方の作動リンク２８の軸２７ｂには摘み片３０を備えた作動片２９が係合している。
【００２８】
したがって、上記摘み３０を上下方向に作動させると、これに連動して作動リンク２８が上下動し、ルーバー羽根２１の先端が上方または下方に移動する。上方に移動するときは、ルーバー羽根２１が開き、下方に移動するときは、ルーバー羽根２１は閉じる。このように、摘みの操作によってルーバー羽根２１を開閉させることができる。
【００２９】
次に、ガラリ網戸ユニット１８は、図３（ｃ）、図６及び図７に示されるように、網戸框１０の内側に嵌合可能に形成された内框２０の屋外側に網体１１を取り付け、屋内側にガラリ板３１を取り付けたもので、内框２０はルーバー網戸ユニット１７の内框２０と同じく、内上框２０ａと内下框２０ｂと左右の内縦框２０ｃとから構成され、屋外側の端部から外方に取付片２２が張り出し形成され、内上框２ａと内下框２０ｂの取付片２２の基部から屋内側に係合部２３が形成されている。
【００３０】
内框２０の屋外側には網体嵌合溝２４が形成され、その屋内側には複数のガラリ板３１が配置されている。網体嵌合溝２４は網戸框１０の取付溝１３と同じ大きさ、同じ形状であるとともに、同じ屋外側に開口している。したがって、同様にして、上記網体嵌合溝２４に網体１１が押し込まれて固定されている。
【００３１】
また、上下を除く中間のガラリ板３１は断面が略Ｚ字状に形成され、その略中間部分は内縦框２ｃの外側から挿通されたネジ３２で固定されている。
【００３２】
次に、上記ルーバー網戸ユニット１７又はガラリ網戸ユニット１８を網戸框１０に取り付けるときは、網戸框１０の屋外側からルーバー網戸ユニット１７又はガラリ網戸ユニット１８の内框２０を嵌め込み、内框２０の取付片２２を網戸框１０の屋外側面と接面させ、内框２０の内上下框２ｂの係合部２３を網戸框１０の下框２ｂの取付溝１３と係合させるとともに、上記取付片２２を網戸框１０にネジ止めすることにより固定すればよい。したがって、ネジ３４を外せば、簡単に内框２０を網戸框１０から取り外すことができる。
【００３３】
上記構成によれば、上記窓枠１に網体のみを装着するときは、図１、図２に示すように、網体１１を取り付けた網戸框１０を窓枠１の網戸用取付片５に固定部材７を介して取り付ければよい。ルーバー網戸ユニット１７を装着するときは、図４、図５に示されるように、上記網戸框１０に網体１１の代りにルーバー網戸ユニット１７の内框２０を取り付け、この網戸框１０を窓枠１の取付片５に取り付ければよい。ガラリ網戸ユニット１８を装着するときは、図６及び図７に示されるように、上記網戸框１０に網体１１の代りにガラリ網戸ユニット１８の内框２０を取り付け、この網戸框１０を窓枠１の取付片５に取り付ければよい。同様に、網戸８、ルーバー網戸ユニット１７又はガラリ網戸ユニット１８が取り付けられている網戸框１０を取り外して互いに交換することもできる。なお、ルーバー網戸ユニット１７もガラリ網戸ユニット１８も網体１１を備えた網戸である。
【００３４】
したがって、ガラリを設けた場合は、視線を遮り、目隠し効果が得られると共にガラリで風向き調整を行って室内へ風を取り込むことができる。ルーバーを設けた場合は、目隠し効果とともに風量・風向きを調整することができる。
【００３５】
また、ルーバー網戸ユニット１７又はガラリ網戸ユニット１８は、網戸框１０の網体取付溝１３を利用して取り付けることができるから、わざわざ取付部又は取付部材を設ける必要がない。しかも、網戸框１０の網体取付溝１３を利用する構成であるから、既存の網戸８を利用することができる。したがって、網戸のみが必要なときは網戸８を、網戸とガラリまたは網戸とルーバーが必要なときは、ガラリ網戸ユニット１８またはルーバー網戸ユニット１７を後付けすることができ、コストも低く抑えることができる。
【００３６】
また、上記ルーバー網戸ユニット１７及びガラリ網戸ユニット１８の上下に対向する位置には、それぞれ上記網戸框１０の取付溝１３と係合可能な係合部２３が形成されているから、ルーバー網戸ユニット１７及びガラリ網戸ユニット１８は、その係合部２３を網戸框１０の取付溝１３に係合させることによって簡単に取り付けることができる。
【００３７】
なお、網戸框１０の取付溝１３と係合可能な係合部２３は、上記ルーバー網戸ユニット１７及びガラリ網戸ユニット１８の上下に対向する位置ではなく、左右に対向する位置に形成してもよい。
【００３８】
さらに、ルーバー網戸ユニット１７及びガラリ網戸ユニット１８には、上記網戸框１０の屋外側面と接面するとともに上記網戸框１０にネジ止めされる取付片２２を形成したので、ルーバー網戸ユニット１７及びガラリ網戸ユニット１８の取付片５が室内側に露出することがなく、内観体裁がよい。
【００３９】
加えて、上記ルーバー網戸ユニット１７及びガラリ網戸ユニット１８には、それぞれ上記網戸框１０の内側に嵌合される内框２０と、該内框２０の屋内側に取り付けられた複数のルーバー及びガラリ板３１と、上記内框２０の屋外側に取り付けられた網体１１とが設けられているので、ルーバー網戸ユニット１７及びガラリ網戸ユニット１８の取り付け、取り外しの際に、内框２０を網戸框１０に嵌め付けて取付作業を行えばよいので、作業が容易である。
【００４０】
なお、上述の網戸は、上述のような金属窓枠だけでなく、図８に示すような、金属枠部１ｐと合成樹脂枠部１ｑとを結合してなる複合断熱窓枠１Ａに、金属框部１０ｐと合成樹脂框部１０ｑとを結合してなる複合断熱網戸框１０を収納した断熱窓にも適用することができる。上述のものと同様、屋内側の合成樹脂枠部の上枠１ａと縦枠（図示せず）には開口部が形成され、この開口部にも網戸用取付片５が形成されている。したがって、この取付片５に着脱される網戸框１０を利用して網体１１のほか、図３（ｂ）に示すルーバー網戸ユニット１７と同図（ｃ）に示すガラリ網戸ユニット１８を選択的に取り付けることができる。
【００４１】
また、上述の網戸は、図９に示すような下窓３５をＦＩＸ窓とした段窓の上窓３６に適用することができる。３７は無目である。
【００４２】
さらに、上記網戸は、縦辷り出し窓だけでなく、平行窓や横辷り出し窓等の窓にも適用することができることはもちろんである。
【図面の簡単な説明】
【００４３】
【図１】本発明に係る網戸を収容したサッシの一例の一部省略縦断面図
【図２】上記サッシの一部省略横断面図
【図３】（ａ）（ｂ）（ｃ）はそれぞれ網体のみを取り付けた網戸、ルーバー網戸ユニット及びガラリ網戸ユニットの取付状態を示す縦断面図
【図４】ルーバー網戸ユニットを取り付けたサッシの一部省略縦断面図
【図５】上記サッシの一部省略横断面図
【図６】ガラリ網戸ユニットを取り付けたサッシの一部省略縦断面図
【図７】上記サッシの一部省略横断面図
【図８】断熱サッシに上記１例の網戸を取り付けた状態の縦断面図
【図９】段窓の上窓に上記１例の網戸を取り付けた状態の縦断面図
【符号の説明】
【００４４】
１    窓枠
２    障子
１０  網戸框
１１  網体
１３  取付溝
１７  ルーバー網戸ユニット
１８  ガラリ網戸ユニット
２０  内框
２１  ルーバー羽根
３１  ガラリ板
【図１】
2009161929.tif 000003
【図２】
2009161929.tif 000004
【図３】
2009161929.tif 000005
【図４】
2009161929.tif 000006
【図５】
2009161929.tif 000007
【図６】
2009161929.tif 000008
【図７】
2009161929.tif 000009
【図８】
2009161929.tif 000010
【図９】
2009161929.tif 000011